(57)【要約】【課題】着用者の幅広い動きや機敏な動きに対する高い追随性を有し、着用者に高いパフォーマンスを発揮させることが可能なスポーツ用パンツを提供する。【解決手段】本発明に係るスポーツ用パンツは、左右の半身部を含むスポーツ用パンツであって、各々の半身部１ａが、該半身部１ａの展開状態において、ベース部２と、ベース部２に接し、互いに隣り合う少なくとも２つのパーティング部、具体的には３つのパーティング部３ａ，３ｂ，３ｃとを備えることを特徴とする。本発明のスポーツ用パンツは、特に野球用ユニフォームパンツとして好適に用いることができる。【選択図】図１
2015014067.tif 000002
【特許請求の範囲】
【請求項１】
左右の半身部を含むスポーツ用パンツであって、
各々の前記半身部が、該半身部の展開状態において、ベース部と、前記ベース部に接し、互いに隣り合う少なくとも２つのパーティング部とを備えることを特徴とするスポーツ用パンツ。
【請求項２】
展開状態において、隣り合う前記パーティング部が互いに離間している請求項１に記載のスポーツ用パンツ。
【請求項３】
前記隣り合うパーティング部の端縁同士が接合された請求項２に記載のスポーツ用パンツ。
【請求項４】
３つの前記パーティング部を有している請求項１〜３のいずれか１項に記載のスポーツ用パンツ。
【請求項５】
前記３つのパーティング部のうち中央のパーティング部の下部が着用者の膝を覆うようになっている請求項４に記載のスポーツ用パンツ。
【請求項６】
野球用ユニフォームパンツとして用いられる請求項１〜５のいずれか１項に記載のスポーツ用パンツ。
【発明の詳細な説明】
【技術分野】
【０００１】
本発明は、野球プレーヤーなどのスポーツをする者に着用されるスポーツ用パンツに関するものである。
【背景技術】
【０００２】
従来、野球用のユニフォームパンツが各種開発されてきている。野球の練習中や試合中においては、スライディングなどでユニフォームが破れることが多いため、ユニフォームパンツに衝撃吸収パッドを取り付けたりすることで該ユニフォームパンツの耐久性を確保している。
【０００３】
このようにユニフォームパンツの耐久性を確保しつつ、着用感を損ねることなく、ムレ感による不快感をなくすことができる野球用ユニフォームパンツが提案されている（例えば、特許文献１参照）。
【０００４】
上記特許文献１に記載の野球用ユニフォームパンツは、大きく分けて２枚の前パンツと２枚の後パンツとから構成されている。この野球用ユニフォームパンツの製造工程においては、同文献の図４に示されるように、１枚の生地から上記２枚の前パンツと２枚の後パンツとを裁断し、裁断したこれらの生地を合わせて縫製することにより、野球用ユニフォームパンツを製造している。なお、その他のパーツも上記生地から裁断することが開示されている。
【先行技術文献】
【特許文献】
【０００５】
【特許文献１】特開平１１−２９３５０６号公報
【発明の概要】
【発明が解決しようとする課題】
【０００６】
しかしながら、上記のように従来の野球用ユニフォームパンツは、２枚の前パンツと２枚の後パンツの計４枚のパンツが縫製された構成であるので、縫製部分が多くなり、生地本来の伸張性を発揮させることが難しい。特に、野球においては着用者の動きが機敏となるため、野球用ユニフォームパンツには、丈夫さを満足しつつも該着用者の機敏な動きに対する追随性が強く求められている。
【０００７】
本発明は、以上のような従来の課題を考慮してなされたものであり、着用者の幅広い動きや機敏な動きに対する高い追随性を有し、着用者に高いパフォーマンスを発揮させることが可能なスポーツ用パンツを提供することを目的とする。
【課題を解決するための手段】
【０００８】
本発明に係るスポーツ用パンツは、左右の半身部を含むスポーツ用パンツであって、
各々の前記半身部が、該半身部の展開状態において、ベース部と、前記ベース部に接し、互いに隣り合う少なくとも２つのパーティング部とを備えることを要旨とする。
【０００９】
展開状態において、隣り合う前記パーティング部が互いに離間している態様とすることが好ましい。
【００１０】
前記隣り合うパーティング部の端縁同士が接合（例えば縫合、融着、又は接着）された態様とすることが好ましい。上記接着方法としては、高周波接着法や超音波接着法等を用いることができる。
【００１１】
本発明のスポーツ用パンツが３つの前記パーティング部を有している態様とすることが好ましい。
【００１２】
前記３つのパーティング部のうち中央のパーティング部の下部が着用者の膝を覆うようになっている態様とすることができる。
【００１３】
本発明のスポーツ用パンツを野球用ユニフォームパンツとして用いることができる。
【発明の効果】
【００１４】
本発明に係るスポーツ用パンツによれば、その半身部を、従来のように前身と後ろ身２枚パーツの構成ではなく、１枚のパーツで構成することができる。これにより、縫合箇所を減らすことができるので、当該縫合により生地本来の伸張性が阻害されることを低減できる。すなわち、本発明のスポーツ用パンツは、生地本来の伸張性を高く発揮し得る設計となっている。したがって、本発明のスポーツ用パンツによれば、着用者の幅広い動きや機敏な動きに対する追随性が向上する。よって、着用者のプレーパフォーマンスが著しく向上することが期待できる。
【図面の簡単な説明】
【００１５】
【図１】本発明に係るスポーツ用パンツの半身部の構成を示す展開図である。
【図２】（ａ）は本発明のスポーツ用パンツを前側から見た斜視図であり、（ｂ）は該スポーツ用パンツを後ろ側から見た斜視図である。
【発明を実施するための形態】
【００１６】
本発明に係るスポーツ用パンツは、左右の半身部を含むスポーツ用パンツであって、各々の前記半身部が、該半身部の展開状態において、ベース部と、前記ベース部に接し、互いに隣り合う少なくとも２つのパーティング部とを備えることを特徴とする。本発明に係るスポーツ用パンツは、着用者の幅広い動きや機敏な動きに対する高い追随性を発揮することができ、該着用者に高いパフォーマンスを発揮させることが可能である。
以下、図面に示した実施の形態に基づいて本発明を詳細に説明する。
【００１７】
図１は本発明に係るスポーツ用パンツ１の半身部１ａの構成を示す展開図である。また、図２は本発明のスポーツ用パンツ１を示す斜視図である。図２（ａ）はスポーツ用パンツ１を前側から見た斜視図であり、図２（ｂ）はスポーツ用パンツ１を後ろ側から見た斜視図である。
【００１８】
図１において、本発明に係るスポーツ用パンツ１の半身部１ａは、その展開状態において、ベース部２と、該ベース部２に一体的に形成された３つのパーティング部３ａ，３ｂ，３ｃとを備えている。このように、本発明のスポーツ用パンツ１の半身部１ａの展開形状は、少なくとも二手状、又は三手状等とすることができる。
【００１９】
パーティング部３ａとパーティング部３ｂとの間、及びパーティング部３ｂとパーティング部３ｃとの間にはそれぞれ切り欠きＫが設けられている。パーティング部３ａとパーティング部３ｂとは切り欠きＫを挟んで互いに離間しており、パーティング部３ｂとパーティング部３ｃとは切り欠きＫを挟んで互いに離間している。
【００２０】
スポーツ用パンツ１は、半身部１ａ（図１参照）と、この半身部１ａと形状がほぼ対称的な半身部１ｂとが縫合されたものである。図２（ｂ）の符号７は、半身部１ａと半身部１ｂとの縫合線を示している。また、スポーツ用パンツ１の図１右側の端縁Ｎ１と左側の端縁Ｎ２とが縫合（図２の符号６ａは縫合線）される。なお、符号６ｂは半身部１ｂにおける縫合線である。
【００２１】
スポーツ用パンツ１の生地としては、例えば組成がポリエステル１００％であり、目付（ｇ／ｍ２）が２７５であり、機能として吸汗性及びストレッチ性を有する素材を採用できる。
【００２２】
図２（ｂ）に示すように、縫合箇所を従来のサイド部分ではなく、スポーツ用パンツ１の後身頃で縫合（縫合線６ａ，６ｂを参照）することで、足の屈曲時の突っ張り感をなくすことができる。
【００２３】
また、スポーツ用パンツ１の膝部分から裾部分までにおいて縫い目を一本（縫合線６ａ，６ｂ）にすることによって、着用者の肌触りが非常に良い。すなわち、あたりを軽減することができる。
【００２４】
ここで、上記切り欠きを挟んで隣り合うパーティング部の端縁同士が縫合される。詳細には、パーティング部３ａの一方側の端縁Ｎ３とパーティング部３ｂの一方側の端縁Ｎ４とが縫合（図２の符号４ａは縫合線）される。また、パーティング部３ｂの他方側の端縁Ｎ５とパーティング部３ｃの一方側の端縁Ｎ６とが縫合（図２の符号５ａは縫合線）される。なお、符号４ｂ，５ｂは他方の半身部１ｂにおける縫合線である。図１に示すように上記の端縁Ｎ３及び端縁Ｎ４は図面右側に湾曲した形状となっており、端縁Ｎ５及び端縁Ｎ６は図面左側に湾曲した形状となっている。
【００２５】
縫合線４ａ，４ｂ，５ａ，５ｂの下端はスポーツ用パンツ１の膝部分まで伸びている。このように、スポーツ用パンツ１の膝部分にまで縫合を施すことで、半身部１ａ，１ｂにおいて１枚の生地でありながら、着用者の身体に沿い且つプレー中の幅広い動きや機敏な動きに対応し得る立体的なパンツにすることが可能となる。
【００２６】
また、上述したように右側に湾曲した形状の上記端縁Ｎ３と端縁Ｎ４とを縫合し、左側に湾曲した形状の上記端縁Ｎ５と端縁Ｎ６とを縫合することによって、前側膝部分においてスポーツ用パンツ１を立体的に屈曲させることができる。その結果、スポーツ用パンツ１の形状を、着用者がプレー中によくとる姿勢（膝を屈曲させた姿勢）にほぼ合致させることができる。これにより、本発明のスポーツ用パンツ１は、着用者のプレー中の機敏な動きに対する追随性がより向上したものになっている。なお、上記のように平面の布を立体的にするパターンメーキング技術をダーツといい、該ダーツの部分を縫うことをダーツ縫いという。
【００２７】
３つのパーティング部３ａ，３ｂ，３ｃのうち中央のパーティング部３ｂの下部が着用者の膝を覆うように設定することができる。スポーツ用パンツ１のベース部２が少なくとも着用者の下腿を覆い、パーティング部３ａ，３ｂ，３ｃが少なくとも着用者の大腿を覆うようになっている。したがって、上記のベース部２が着用者の下腿及び大腿の一部を覆ってもよいし、パーティング部３ａ，３ｂ，３ｃが着用者の大腿及び下腿の一部を覆ってもよい。すなわち、ベース部２とパーティング部３ａ，３ｂ，３ｃとの境界については、着用者に応じて適宜設定することができる。
【００２８】
スポーツ用パンツ１の上部外側端縁には、ベルトを挿入するためのベルトループ８，９を設けることができる。ベルトループ８の正面視の形状は棒状となっているが、ベルトループ９の正面視の形状は、上底に対して下底が短い台形状となっている。このように、ベルトループ９の形状を台形状とすることにより、該ベルトループ９の下底部分の縫合長さを短くすることができる。これにより、ベルトループ９の下底部分が縫合される生地の領域を小さくすることができるので、該生地の伸張性が縫合によって阻害される領域を小さくすることができる。したがって、着用者のプレーパフォーマンスがより向上することが期待される。なお、スポーツ用パンツ１の伸張性を向上する観点から、上記台形の上底よりも下底を短くすることが望ましい。また、ベルトループ下の縫合部分をなくすことにより該ベルトループ下の縫い止まりを軽減し、生地本来の伸びを高く発揮させることができる。
【００２９】
このように本発明のスポーツ用パンツによれば、その半身部を、従来のように前身と後ろ身２枚パーツの構成ではなく、１枚のパーツで構成することができる。これにより、縫合箇所を減らすことができるので、当該縫合により生地本来の伸張性が阻害されることを低減できる。すなわち、本発明のスポーツ用パンツは、生地本来の伸張性を高く発揮し得る設計となっている。したがって、本発明のスポーツ用パンツによれば、着用者の幅広い動きや機敏な動きに対する追随性が向上する。よって、着用者のプレーパフォーマンスが著しく向上することが期待できる。
【００３０】
本発明はもとより上記実施形態によって制限を受けるものではなく、本発明の趣旨に適合し得る範囲で適当に変更を加えて実施することも勿論可能であり、それらはいずれも本発明の技術的範囲に包含される。
【００３１】
本発明のスポーツ用パンツは、上述のように野球のユニフォームパンツに特に好適であるが、野球のみならず、ゴルフ、バドミントン、スカッシュ、ホッケー、ジョギング、サッカー、バレーボール、バスケットボール等あらゆるスポーツ時に着用するウェアに適用できる。
【符号の説明】
【００３２】
１    スポーツ用パンツ
１ａ，１ｂ  半身部
２    ベース部
３ａ，３ｂ，３ｃ  パーティング部
４ａ，４ｂ  縫合線
５ａ，５ｂ  縫合線
８，９  ベルトループ
Ｋ    切り欠き
【図１】
2015014067.tif 000003
【図２】
2015014067.tif 000004
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
左右の半身部を含むスポーツ用パンツであって、
各々の前記半身部が、該半身部の展開状態において、ベース部と、前記ベース部に接し、前記ベース部と一体的に形成された、互いに隣り合う少なくとも２つのパーティング部とを備え、隣り合うパーティング部が切り欠きを挟んで互いに離間して設けられており、
前記隣り合うパーティング部は、切り欠きを挟んだ端縁同士が接合され、
前記ベース部が少なくとも着用者の下腿を覆い、
前記パーティング部が少なくとも着用者の大腿を覆っていることを特徴とするスポーツ用パンツ。
【請求項２】
前記半身部が、少なくとも３つのパーティング部を備え、
前記３つのパーティング部のうち中央のパーティング部が着用者の大腿の前側を覆っている請求項１に記載のスポーツ用パンツ。
【請求項３】
前記半身部が、少なくとも３つのパーティング部を備え、
前記３つのパーティング部のうち中央のパーティング部の下部が着用者の膝を覆っている請求項１または２に記載のスポーツ用パンツ。
【請求項４】
野球用ユニフォームパンツとして用いられる請求項１〜３のいずれか１項に記載のスポーツ用パンツ。
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
左右の半身部を含むスポーツ用パンツであって、
各々の前記半身部が、該半身部の展開状態において、ベース部と、前記ベース部に接し、前記ベース部と一体的に形成されたパーティング部ａとパーティング部ｂとパーティング部ｃとを備え、前記パーティング部ａと前記パーティング部ｂが切り欠きを挟んで互いに離間しているとともに、前記パーティング部ｂと前記パーティング部ｃが切り欠きを挟んで互いに離間して設けられており、
前記パーティング部ａと前記パーティング部ｂが切り欠きを挟んで端縁同士が接合され、前記パーティング部ｂと前記パーティング部ｃが切り欠きを挟んで端縁同士が接合され、
前記ベース部が少なくとも着用者の下腿を覆い、
前記パーティング部ａ，ｂ，ｃが少なくとも着用者の大腿を覆うとともに、前記パーティング部ｂが着用者の大腿の前側を覆っていることを特徴とするスポーツ用パンツ。
【請求項２】
前記パーティング部ｂの下部が着用者の膝を覆っている請求項１に記載のスポーツ用パンツ。
【請求項３】
野球用ユニフォームパンツとして用いられる請求項１または２に記載のスポーツ用パンツ。